(57)【要約】【課題】印刷される画像、及び画像を媒体から切断する切断線を示すファイルを、容易かつ適切に準備する。【解決手段】ＲＩＰ入力形式ファイルをコンピュータに出力させるプログラムであって、プリントデータに対応するプリント用ＲＩＰ入力ファイルを生成するプリント用ＲＩＰ入力ファイル生成処理と、カットデータに対応するカット用ＲＩＰ入力ファイルを生成するカット用ＲＩＰ入力ファイル生成処理と、ＲＩＰ処理装置の記憶装置における予め設定されたフォルダへ、プリント用ＲＩＰ入力ファイル及びカット用ＲＩＰ入力ファイルを出力するファイル出力処理とをコンピュータに行わせ、プリント用ＲＩＰ入力ファイル生成処理及びカット用ＲＩＰ入力ファイル生成処理は、互いに関連付けられたＩＤ情報を付して、プリント用ＲＩＰ入力ファイル及びカット用ＲＩＰ入力ファイルを生成する。【選択図】図１
2010055451.tif 000002
【特許請求の範囲】
【請求項１】
ＲＩＰ（Ｒａｓｔｅｒ  Ｉｍａｇｅ  Ｐｒｏｃｅｓｓｏｒ）処理の入力データとなるデータ形式のＲＩＰ入力形式ファイルをコンピュータに出力させるプログラムであって、
印刷される画像を示すプリントデータと、前記画像を媒体から切断する切断線を示すカットデータとを作成するデータ生成処理と、
前記プリントデータを前記ＲＩＰ入力形式ファイルに変換することにより、前記プリントデータに対応する前記ＲＩＰ入力形式ファイルであるプリント用ＲＩＰ入力ファイルを生成するプリント用ＲＩＰ入力ファイル生成処理と、
前記カットデータを前記ＲＩＰ入力形式ファイルに変換することにより、前記カットデータに対応する前記ＲＩＰ入力形式ファイルであるカット用ＲＩＰ入力ファイルを生成するカット用ＲＩＰ入力ファイル生成処理と、
ＲＩＰ処理を行うＲＩＰ処理装置の記憶装置における予め設定されたフォルダへ、前記プリント用ＲＩＰ入力ファイル及び前記カット用ＲＩＰ入力ファイルを出力するファイル出力処理と
を前記コンピュータに行わせ、
前記プリント用ＲＩＰ入力ファイル生成処理は、前記カット用ＲＩＰ入力ファイルと関連付けられ、かつ、前記プリント用ＲＩＰ入力ファイルであることを識別可能なＩＤ情報を付して、前記プリント用ＲＩＰ入力ファイルを生成し、
前記カット用ＲＩＰ入力ファイル生成処理は、前記プリント用ＲＩＰ入力ファイルと関連付けられ、かつ、前記カット用ＲＩＰ入力ファイルであることを識別可能なＩＤ情報を付して、前記カット用ＲＩＰ入力ファイルを生成することを特徴とするプログラム。
【請求項２】
前記プリント用ＲＩＰ入力ファイル生成処理は、コメント情報を書き込むデータ領域を含む前記プリント用ＲＩＰ入力ファイルを生成する処理であり、前記プリント用ＲＩＰ入力ファイルに基づく印刷動作を制御する印刷制御用情報を、前記プリント用ＲＩＰ入力ファイルの前記コメント情報として書き込み、
前記カット用ＲＩＰ入力ファイル生成処理は、コメント情報を書き込むデータ領域を含む前記カット用ＲＩＰ入力ファイルを生成する処理であり、前記カット用ＲＩＰ入力ファイルに基づく切断動作を制御する切断制御用情報を、前記カット用ＲＩＰ入力ファイルの前記コメント情報として書き込むことを特徴とする請求項１に記載のプログラム。
【請求項３】
前記カットデータは、切断動作の条件を指定するカット条件がそれぞれ異なる複数の前記切断線を示すデータであり、
それぞれの前記カット条件は、予め準備された複数種類のカット条件対応色のそれぞれと対応付けられており、
前記カット用ＲＩＰ入力ファイル生成処理は、前記カットデータ中の前記複数の切断線を認識し、認識したそれぞれの前記切断線の色として、当該切断線に対する前記カット条件と対応付けられている前記カット条件対応色を指定して、前記カット用ＲＩＰ入力ファイルを生成し、かつ、前記カット条件対応色と前記カット条件とを対応付けたカット条件情報を、前記カット用ＲＩＰ入力ファイルのコメント情報として書き込むことを特徴とする請求項２に記載のプログラム。
【請求項４】
ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを出力先の装置が解釈可能なデータ形式のＲＩＰ出力形式ファイルへ変換するＲＩＰ処理をコンピュータに行わせるプログラムであって、
記憶装置における予め設定されたフォルダ内を検索することにより、印刷される画像を示す前記ＲＩＰ入力形式ファイルであるプリント用ＲＩＰ入力ファイルと、前記画像を媒体から切断する切断線を示す前記ＲＩＰ入力形式ファイルであるカット用ＲＩＰ入力ファイルとを検索する入力ファイル検索処理と、
前記入力ファイル検索処理において前記プリント用ＲＩＰ入力ファイルを発見した場合に当該プリント用ＲＩＰ入力ファイルを前記ＲＩＰ出力形式ファイルへ変換することにより、前記プリント用ＲＩＰ入力ファイルに対応する前記ＲＩＰ出力形式ファイルであるプリント用ＲＩＰ出力ファイルを生成するプリント用ＲＩＰ出力ファイル生成処理と、
前記入力ファイル検索処理において前記カット用ＲＩＰ入力ファイルを発見した場合に当該カット用ＲＩＰ入力ファイルを前記ＲＩＰ出力形式ファイルへ変換することにより、前記カット用ＲＩＰ入力ファイルに対応する前記ＲＩＰ出力形式ファイルであるカット用ＲＩＰ出力ファイルを生成するカット用ＲＩＰ出力ファイル生成処理と、
前記プリント用ＲＩＰ出力ファイル及び前記カット用ＲＩＰ出力ファイルを前記出力先の装置へ出力するＲＩＰ出力ファイル出力処理と
を前記コンピュータに行わせ、
前記出力先の装置は、前記プリント用ＲＩＰ出力ファイルに従って前記画像を印刷し、かつ、前記カット用ＲＩＰ出力ファイルに従って前記媒体を切断する装置であり、
前記プリント用ＲＩＰ入力ファイルには、前記カット用ＲＩＰ入力ファイルと関連付けられ、かつ、前記プリント用ＲＩＰ入力ファイルであることを識別可能なＩＤ情報が付されており、
前記カット用ＲＩＰ入力ファイルには、前記プリント用ＲＩＰ入力ファイルと関連付けられ、かつ、前記カット用ＲＩＰ入力ファイルであることを識別可能なＩＤ情報が付されており、
前記入力ファイル検索処理は、前記プリント用ＲＩＰ入力ファイルの前記ＩＤ情報、及び前記カット用ＲＩＰ入力ファイルの前記ＩＤ情報を識別することにより、前記プリント用ＲＩＰ入力ファイルと、前記カット用ＲＩＰ入力ファイルとを区別して検索し、
前記ＲＩＰ出力ファイル出力処理は、前記プリント用ＲＩＰ入力ファイルの前記ＩＤ情報、及び前記カット用ＲＩＰ入力ファイルの前記ＩＤ情報に基づいて互いに関連付けられた前記プリント用ＲＩＰ出力ファイル及び前記カット用ＲＩＰ出力ファイルのそれぞれを、関連付けに応じてそれぞれ設定されたタイミングで、前記出力先の装置へ出力することを特徴とするプログラム。
【請求項５】
前記プリント用ＲＩＰ入力ファイルは、コメント情報を書き込むデータ領域を含み、前記プリント用ＲＩＰ入力ファイルに基づく印刷動作を制御する印刷制御用情報が、前記プリント用ＲＩＰ入力ファイルの前記コメント情報として書き込まれており、
前記カット用ＲＩＰ入力ファイルは、コメント情報を書き込むデータ領域を含み、前記カット用ＲＩＰ入力ファイルに基づく切断動作を制御する切断制御用情報が、前記カット用ＲＩＰ入力ファイルの前記コメント情報として書き込まれており、
前記プログラムは、
前記プリント用ＲＩＰ入力ファイルの前記コメント情報から前記印刷制御用情報を取得し、前記カット用ＲＩＰ入力ファイルの前記コメント情報から前記切断制御用情報を取得し、取得した前記印刷制御用情報及び前記切断制御用情報を表示部に表示する制御情報表示処理と、
ユーザによる前記印刷制御用情報及び前記切断制御用情報の変更を受け付ける制御情報変更受け付け処理と
を更にコンピュータに行わせ、
前記プリント用ＲＩＰ出力ファイル生成処理は、前記印刷制御用情報を反映させて前記プリント用ＲＩＰ出力ファイルを生成する処理であり、前記制御情報変更受け付け処理において前記印刷制御用情報が変更された場合、変更後の前記印刷制御用情報を反映させて、前記プリント用ＲＩＰ出力ファイルを生成し、
前記カット用ＲＩＰ出力ファイル生成処理は、前記切断制御用情報を反映させて前記カット用ＲＩＰ出力ファイルを生成する処理であり、前記制御情報変更受け付け処理において前記切断制御用情報が変更された場合、変更後の前記切断制御用情報を反映させて、前記カット用ＲＩＰ出力ファイルを生成することを特徴とする請求項４に記載のプログラム。
【請求項６】
ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを生成するＲＩＰ入力ファイル生成装置であって、
印刷される画像を示すプリントデータと、前記画像を媒体から切断する切断線を示すカットデータとを作成するデータ生成部と、
前記プリントデータを前記ＲＩＰ入力形式ファイルに変換することにより、前記プリントデータに対応する前記ＲＩＰ入力形式ファイルであるプリント用ＲＩＰ入力ファイルを生成するプリント用ＲＩＰ入力ファイル生成部と、
前記カットデータを前記ＲＩＰ入力形式ファイルに変換することにより、前記カットデータに対応する前記ＲＩＰ入力形式ファイルであるカット用ＲＩＰ入力ファイルを生成するカット用ＲＩＰ入力ファイル生成部と、
ＲＩＰ処理を行うＲＩＰ処理装置の記憶装置における予め設定されたフォルダへ、前記プリント用ＲＩＰ入力ファイル及び前記カット用ＲＩＰ入力ファイルを出力するファイル出力部と
を備え、
前記プリント用ＲＩＰ入力ファイル生成部は、前記カット用ＲＩＰ入力ファイルと関連付けられ、かつ、前記プリント用ＲＩＰ入力ファイルであることを識別可能なＩＤ情報を付して、前記プリント用ＲＩＰ入力ファイルを生成し、
前記カット用ＲＩＰ入力ファイル生成部は、前記プリント用ＲＩＰ入力ファイルと関連付けられ、かつ、前記カット用ＲＩＰ入力ファイルであることを識別可能なＩＤ情報を付して、前記カット用ＲＩＰ入力ファイルを生成することを特徴とするＲＩＰ入力ファイル生成装置。
【請求項７】
ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを生成するＲＩＰ入力ファイル生成方法であって、
印刷される画像を示すプリントデータと、前記画像を媒体から切断する切断線を示すカットデータとを作成するデータ生成段階と、
前記プリントデータを前記ＲＩＰ入力形式ファイルに変換することにより、前記プリントデータに対応する前記ＲＩＰ入力形式ファイルであるプリント用ＲＩＰ入力ファイルを生成するプリント用ＲＩＰ入力ファイル生成段階と、
前記カットデータを前記ＲＩＰ入力形式ファイルに変換することにより、前記カットデータに対応する前記ＲＩＰ入力形式ファイルであるカット用ＲＩＰ入力ファイルを生成するカット用ＲＩＰ入力ファイル生成段階と、
ＲＩＰ処理を行うＲＩＰ処理装置の記憶装置における予め設定されたフォルダへ、前記プリント用ＲＩＰ入力ファイル及び前記カット用ＲＩＰ入力ファイルを出力するファイル出力段階と
を備え、
前記プリント用ＲＩＰ入力ファイル生成段階は、前記カット用ＲＩＰ入力ファイルと関連付けられ、かつ、前記プリント用ＲＩＰ入力ファイルであることを識別可能なＩＤ情報を付して、前記プリント用ＲＩＰ入力ファイルを生成し、
前記カット用ＲＩＰ入力ファイル生成段階は、前記プリント用ＲＩＰ入力ファイルと関連付けられ、かつ、前記カット用ＲＩＰ入力ファイルであることを識別可能なＩＤ情報を付して、前記カット用ＲＩＰ入力ファイルを生成することを特徴とするＲＩＰ入力ファイル生成方法。
【請求項８】
ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを出力先の装置が解釈可能なデータ形式のＲＩＰ出力形式ファイルへ変換するＲＩＰ処理を行うＲＩＰ処理装置であって、
記憶装置における予め設定されたフォルダ内を検索することにより、印刷される画像を示す前記ＲＩＰ入力形式ファイルであるプリント用ＲＩＰ入力ファイルと、前記画像を媒体から切断する切断線を示す前記ＲＩＰ入力形式ファイルであるカット用ＲＩＰ入力ファイルとを検索する入力ファイル検索部と、
前記入力ファイル検索部が前記プリント用ＲＩＰ入力ファイルを発見した場合に当該プリント用ＲＩＰ入力ファイルを前記ＲＩＰ出力形式ファイルへ変換することにより、前記プリント用ＲＩＰ入力ファイルに対応する前記ＲＩＰ出力形式ファイルであるプリント用ＲＩＰ出力ファイルを生成するプリント用ＲＩＰ出力ファイル生成部と、
前記入力ファイル検索部が前記カット用ＲＩＰ入力ファイルを発見した場合に当該カット用ＲＩＰ入力ファイルを前記ＲＩＰ出力形式ファイルへ変換することにより、前記カット用ＲＩＰ入力ファイルに対応する前記ＲＩＰ出力形式ファイルであるカット用ＲＩＰ出力ファイルを生成するカット用ＲＩＰ出力ファイル生成部と、
前記プリント用ＲＩＰ出力ファイル及び前記カット用ＲＩＰ出力ファイルを前記出力先の装置へ出力するＲＩＰ出力ファイル出力部と
を備え、
前記出力先の装置は、前記プリント用ＲＩＰ出力ファイルに従って前記画像を印刷し、かつ、前記カット用ＲＩＰ出力ファイルに従って前記媒体を切断する装置であり、
前記プリント用ＲＩＰ入力ファイルには、前記カット用ＲＩＰ入力ファイルと関連付けられ、かつ、前記プリント用ＲＩＰ入力ファイルであることを識別可能なＩＤ情報が付されており、
前記カット用ＲＩＰ入力ファイルには、前記プリント用ＲＩＰ入力ファイルと関連付けられ、かつ、前記カット用ＲＩＰ入力ファイルであることを識別可能なＩＤ情報が付されており、
前記入力ファイル検索部は、前記プリント用ＲＩＰ入力ファイルの前記ＩＤ情報、及び前記カット用ＲＩＰ入力ファイルの前記ＩＤ情報を識別することにより、前記プリント用ＲＩＰ入力ファイルと、前記カット用ＲＩＰ入力ファイルとを区別して検索し、
前記ＲＩＰ出力ファイル出力部は、前記プリント用ＲＩＰ入力ファイルの前記ＩＤ情報、及び前記カット用ＲＩＰ入力ファイルの前記ＩＤ情報に基づいて互いに関連付けられた前記プリント用ＲＩＰ出力ファイル及び前記カット用ＲＩＰ出力ファイルのそれぞれを、関連付けに応じてそれぞれ設定されたタイミングで、前記出力先の装置へ出力することを特徴とするＲＩＰ処理装置。
【請求項９】
ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを出力先の装置が解釈可能なデータ形式のＲＩＰ出力形式ファイルへ変換するＲＩＰ処理を行うＲＩＰ処理方法であって、
記憶装置における予め設定されたフォルダ内を検索することにより、印刷される画像を示す前記ＲＩＰ入力形式ファイルであるプリント用ＲＩＰ入力ファイルと、前記画像を媒体から切断する切断線を示す前記ＲＩＰ入力形式ファイルであるカット用ＲＩＰ入力ファイルとを検索する入力ファイル検索段階と、
前記入力ファイル検索段階において前記プリント用ＲＩＰ入力ファイルを発見した場合に当該プリント用ＲＩＰ入力ファイルを前記ＲＩＰ出力形式ファイルへ変換することにより、前記プリント用ＲＩＰ入力ファイルに対応する前記ＲＩＰ出力形式ファイルであるプリント用ＲＩＰ出力ファイルを生成するプリント用ＲＩＰ出力ファイル生成段階と、
前記入力ファイル検索段階において前記カット用ＲＩＰ入力ファイルを発見した場合に当該カット用ＲＩＰ入力ファイルを前記ＲＩＰ出力形式ファイルへ変換することにより、前記カット用ＲＩＰ入力ファイルに対応する前記ＲＩＰ出力形式ファイルであるカット用ＲＩＰ出力ファイルを生成するカット用ＲＩＰ出力ファイル生成段階と、
前記プリント用ＲＩＰ出力ファイル及び前記カット用ＲＩＰ出力ファイルを前記出力先の装置へ出力するＲＩＰ出力ファイル出力段階と
を備え、
前記出力先の装置は、前記プリント用ＲＩＰ出力ファイルに従って前記画像を印刷し、かつ、前記カット用ＲＩＰ出力ファイルに従って前記媒体を切断する装置であり、
前記プリント用ＲＩＰ入力ファイルには、前記カット用ＲＩＰ入力ファイルと関連付けられ、かつ、前記プリント用ＲＩＰ入力ファイルであることを識別可能なＩＤ情報が付されており、
前記カット用ＲＩＰ入力ファイルには、前記プリント用ＲＩＰ入力ファイルと関連付けられ、かつ、前記カット用ＲＩＰ入力ファイルであることを識別可能なＩＤ情報が付されており、
前記入力ファイル検索段階は、前記プリント用ＲＩＰ入力ファイルの前記ＩＤ情報、及び前記カット用ＲＩＰ入力ファイルの前記ＩＤ情報を識別することにより、前記プリント用ＲＩＰ入力ファイルと、前記カット用ＲＩＰ入力ファイルとを区別して検索し、
前記ＲＩＰ出力ファイル出力段階は、前記プリント用ＲＩＰ入力ファイルの前記ＩＤ情報、及び前記カット用ＲＩＰ入力ファイルの前記ＩＤ情報に基づいて互いに関連付けられた前記プリント用ＲＩＰ出力ファイル及び前記カット用ＲＩＰ出力ファイルのそれぞれを、関連付けに応じてそれぞれ設定されたタイミングで、前記出力先の装置へ出力することを特徴とするＲＩＰ処理方法。
【請求項１０】
媒体への画像の印刷、及び切断線に沿った前記媒体の切断を行う印刷切断システムであって、
請求項６に記載のＲＩＰ入力ファイル生成装置と、
請求項８に記載のＲＩＰ処理装置と、
前記ＲＩＰ処理装置の出力先の装置である印刷切断装置と
を備えることを特徴とする印刷切断システム。
【発明の詳細な説明】
【技術分野】
【０００１】
本発明は、プログラム、ＲＩＰ入力ファイル生成装置、ＲＩＰ入力ファイル生成方法、ＲＩＰ処理装置、ＲＩＰ処理方法、及び印刷切断システムに関する。
【背景技術】
【０００２】
従来、媒体への印刷（プリント）及び切断（カット）を行う装置が知られている。このような装置としては、例えば、カッティングヘッド付きのインクジェットプリンタが知られている（例えば、特許文献１参照。）。
【特許文献１】特開２００５−３３５１４９号公報
【発明の開示】
【発明が解決しようとする課題】
【０００３】
近年、インクジェットプリンタの高性能化により、このような装置の用途も多様化している。そのため、例えば切断線の設定の仕方等についても、用途に応じて多様な方法が求められている。例えば、印刷条件やカット条件の設定を柔軟かつ簡単に行える方法が求められている。また、印刷及び切断の制御を、ユーザ（オペレータ）に手間をかけることなく適切に行える方法が求められている。そこで、本発明は、上記の課題を解決できるプログラム、ＲＩＰ入力ファイル生成装置、ＲＩＰ入力ファイル生成方法、ＲＩＰ処理装置、ＲＩＰ処理方法、及び印刷切断システムを提供することを目的とする。
【課題を解決するための手段】
【０００４】
上記の課題を解決するために、本発明は、以下の構成を有する。
（構成１）ＲＩＰ（Ｒａｓｔｅｒ  Ｉｍａｇｅ  Ｐｒｏｃｅｓｓｏｒ）処理の入力データとなるデータ形式のＲＩＰ入力形式ファイルをコンピュータに出力させるプログラムであって、印刷される画像を示すプリントデータと、画像を媒体から切断する切断線を示すカットデータとを作成するデータ生成処理と、プリントデータをＲＩＰ入力形式ファイルに変換することにより、プリントデータに対応するＲＩＰ入力形式ファイルであるプリント用ＲＩＰ入力ファイルを生成するプリント用ＲＩＰ入力ファイル生成処理と、カットデータをＲＩＰ入力形式ファイルに変換することにより、カットデータに対応するＲＩＰ入力形式ファイルであるカット用ＲＩＰ入力ファイルを生成するカット用ＲＩＰ入力ファイル生成処理と、ＲＩＰ処理を行うＲＩＰ処理装置の記憶装置における予め設定されたフォルダへ、プリント用ＲＩＰ入力ファイル及びカット用ＲＩＰ入力ファイルを出力するファイル出力処理とをコンピュータに行わせ、プリント用ＲＩＰ入力ファイル生成処理は、カット用ＲＩＰ入力ファイルと関連付けられ、かつ、プリント用ＲＩＰ入力ファイルであることを識別可能なＩＤ情報を付して、プリント用ＲＩＰ入力ファイルを生成し、カット用ＲＩＰ入力ファイル生成処理は、プリント用ＲＩＰ入力ファイルと関連付けられ、かつ、カット用ＲＩＰ入力ファイルであることを識別可能なＩＤ情報を付して、カット用ＲＩＰ入力ファイルを生成する。
【０００５】
このプログラムは、例えば、グラフィックソフトウェアのプログラムである。データ生成処理は、例えば、画像及び切断線を描画するユーザの操作に基づき、プリントデータ及びカットデータを生成する。
【０００６】
このように構成すれば、例えば、後段のＲＩＰ処理の入力ファイルとして、印刷される画像及び切断線のそれぞれを適切に示すプリント用ＲＩＰ入力ファイル及びカット用ＲＩＰ入力ファイルを適切に生成できる。これにより、例えば、印刷される画像、及び画像を媒体から切断する切断線を示すファイルを、容易かつ適切に準備できる。また、ＩＤ情報により両ファイルを関連付けることにより、印刷される画像と切断線とを適切に対応付けて、ＲＩＰ処理を行うことができる。
【０００７】
更には、プリント用ＲＩＰ入力ファイルとカット用ＲＩＰ入力ファイルとを別にファイルとして出力することにより、例えば後段のＲＩＰ処理において一方のファイルに対応する処理のみを行う場合に、使用しない方のファイルのデータを読み込む必要がなくなる。これにより、例えば印刷と切断を一連の動作として行うのではなく、インクの乾燥を待つ場合や、ラミネート加工をする場合のように、先に印刷のみを実行して、後に切断のみを実行する場合等に、それぞれの処理に要する時間を短縮できる。例えば、後で切断のみを行う場合に、プリント用ＲＩＰ入力ファイルを読み込む必要がなくなり、その分の時間を短縮できる。また、特に、プリント用ＲＩＰ入力ファイル及びカット用ＲＩＰ入力ファイルのデータのサイズが大きい場合、処理に要する時間の短縮の効果が顕著となる。
【０００８】
尚、ＲＩＰ処理を行うＲＩＰ処理装置は、例えば、ＲＩＰ処理用のプログラムがインストールされたコンピュータである。プリント用ＲＩＰ入力ファイル及びカット用ＲＩＰ入力ファイルは、例えばＰｏｓｔｓｃｒｉｐｔファイルである。プリント用ＲＩＰ入力ファイル及びカット用ＲＩＰ入力ファイルは、ＰＤＦファイル等であってもよい。
【０００９】
プリント用ＲＩＰ入力ファイルであることを識別可能なＩＤ情報とは、例えば、カット用ＲＩＰ入力ファイルと区別可能なＩＤ情報である。カット用ＲＩＰ入力ファイルであることを識別可能なＩＤ情報とは、例えば、プリント用ＲＩＰ入力ファイルと区別可能なＩＤ情報である。プリント用ＲＩＰ入力ファイル及びカット用ＲＩＰ入力ファイルのＩＤ情報は、例えば、コメント情報として、それぞれのファイル内に付される。ＩＤ情報は、それぞれのファイル名内に付されてもよい。
【００１０】
また、画像を媒体から切断する切断線とは、例えば、媒体において切断すべき位置を示す線のことである。画像を媒体から切断するとは、例えば、媒体において画像が印刷されている部分を、媒体の他の領域から切り離すことである。媒体において画像が印刷されている部分とは、画像を囲む余白部分を含む領域であってもよい。また、画像を媒体から切断するとは、その後に印刷される画像が媒体から切断された状態となるように、印刷前の媒体を切断することであってもよい。この場合、切断線は、印刷前に行われる切断の位置を示す切断線であってよい。また、媒体の切断は、例えば、シール等の台紙上に本紙が貼り付けられている媒体に対する切断であってもよい。この場合、媒体の切断は、本紙のみを切断することであってもよい。
【００１１】
（構成２）プリント用ＲＩＰ入力ファイル生成処理は、コメント情報を書き込むデータ領域を含むプリント用ＲＩＰ入力ファイルを生成する処理であり、プリント用ＲＩＰ入力ファイルに基づく印刷動作を制御する印刷制御用情報を、プリント用ＲＩＰ入力ファイルのコメント情報として書き込み、カット用ＲＩＰ入力ファイル生成処理は、コメント情報を書き込むデータ領域を含むカット用ＲＩＰ入力ファイルを生成する処理であり、カット用ＲＩＰ入力ファイルに基づく切断動作を制御する切断制御用情報を、カット用ＲＩＰ入力ファイルのコメント情報として書き込む。
【００１２】
印刷制御用情報及び切断制御用情報は、例えば、レイアウト情報やその他の各種制御情報を含む情報である。このように構成すれば、例えば、印刷条件やカット条件の設定をより柔軟かつ適切に行うことができる。
【００１３】
（構成３）カットデータは、切断動作の条件を指定するカット条件がそれぞれ異なる複数の切断線を示すデータであり、それぞれのカット条件は、予め準備された複数種類のカット条件対応色のそれぞれと対応付けられており、カット用ＲＩＰ入力ファイル生成処理は、カットデータ中の複数の切断線を認識し、認識したそれぞれの切断線の色として、当該切断線に対するカット条件と対応付けられているカット条件対応色を指定して、カット用ＲＩＰ入力ファイルを生成し、かつ、カット条件対応色とカット条件とを対応付けたカット条件情報を、カット用ＲＩＰ入力ファイルのコメント情報として書き込む。
【００１４】
このように構成すれば、例えば、一つのカット用ＲＩＰ入力ファイル内で、切断される位置やオブジェクトに応じて、複数種類のカット条件を設定することが可能になる。また、これにより、例えば、カット条件の設定をより柔軟に行うことが可能になる。
【００１５】
尚、カット条件対応色としては、例えば特色（スポットカラー）を好適に用いることができる。特色とは、例えば、プロセスカラーの混合により表現される色以外の色である。プロセスカラーとは、例えば、印刷装置で使用されるＣＭＹＫインクの各色である。カット条件対応色が対応付けられるカット条件は、例えば、切断の速度、圧力、ツールオフセット、切断線の線種の指定等である。切断線の線種の指定とは、例えば、実線又はミシン目状の線等の指定である。この実線は、例えば、通常の連続的な切断線を示す線種である。また、ミシン目状の線は、例えば、点線状又は破線状の線等の、後で切り離すための切断線等の指定である。
【００１６】
（構成４）ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを出力先の装置が解釈可能なデータ形式のＲＩＰ出力形式ファイルへ変換するＲＩＰ処理をコンピュータに行わせるプログラムであって、記憶装置における予め設定されたフォルダ内を検索することにより、印刷される画像を示すＲＩＰ入力形式ファイルであるプリント用ＲＩＰ入力ファイルと、画像を媒体から切断する切断線を示すＲＩＰ入力形式ファイルであるカット用ＲＩＰ入力ファイルとを検索する入力ファイル検索処理と、入力ファイル検索処理においてプリント用ＲＩＰ入力ファイルを発見した場合に当該プリント用ＲＩＰ入力ファイルをＲＩＰ出力形式ファイルへ変換することにより、プリント用ＲＩＰ入力ファイルに対応するＲＩＰ出力形式ファイルであるプリント用ＲＩＰ出力ファイルを生成するプリント用ＲＩＰ出力ファイル生成処理と、入力ファイル検索処理においてカット用ＲＩＰ入力ファイルを発見した場合に当該カット用ＲＩＰ入力ファイルをＲＩＰ出力形式ファイルへ変換することにより、カット用ＲＩＰ入力ファイルに対応するＲＩＰ出力形式ファイルであるカット用ＲＩＰ出力ファイルを生成するカット用ＲＩＰ出力ファイル生成処理と、プリント用ＲＩＰ出力ファイル及びカット用ＲＩＰ出力ファイルを出力先の装置へ出力するＲＩＰ出力ファイル出力処理とをコンピュータに行わせ、出力先の装置は、プリント用ＲＩＰ出力ファイルに従って画像を印刷し、かつ、カット用ＲＩＰ出力ファイルに従って媒体を切断する装置であり、プリント用ＲＩＰ入力ファイルには、カット用ＲＩＰ入力ファイルと関連付けられ、かつ、プリント用ＲＩＰ入力ファイルであることを識別可能なＩＤ情報が付されており、カット用ＲＩＰ入力ファイルには、プリント用ＲＩＰ入力ファイルと関連付けられ、かつ、カット用ＲＩＰ入力ファイルであることを識別可能なＩＤ情報が付されており、入力ファイル検索処理は、プリント用ＲＩＰ入力ファイルのＩＤ情報、及びカット用ＲＩＰ入力ファイルのＩＤ情報を識別することにより、プリント用ＲＩＰ入力ファイルと、カット用ＲＩＰ入力ファイルとを区別して検索し、ＲＩＰ出力ファイル出力処理は、プリント用ＲＩＰ入力ファイルのＩＤ情報、及びカット用ＲＩＰ入力ファイルのＩＤ情報に基づいて互いに関連付けられたプリント用ＲＩＰ出力ファイル及びカット用ＲＩＰ出力ファイルのそれぞれを、関連付けに応じてそれぞれ設定されたタイミングで、出力先の装置へ出力する。
【００１７】
印刷後に切断を行うように出力先の装置を制御する場合、ＲＩＰ出力ファイル出力処理は、例えば、プリント用ＲＩＰ出力ファイルを出力した後、予め設定されたタイミングで、カット用ＲＩＰ出力ファイルを出力する。また、印刷より先に切断を行うように出力先の装置を制御する場合、ＲＩＰ出力ファイル出力処理は、例えば、カット用ＲＩＰ出力ファイルを出力した後、予め設定されたタイミングで、プリント用ＲＩＰ出力ファイルを出力する。
【００１８】
ＲＩＰ出力形式ファイルは、例えば、出力先の装置を制御するコマンド及びデータにより構成されるファイルである。ＲＩＰ出力形式ファイルは、例えばプリンタ記述言語又は同様の言語で画像又は切断線を示したファイルであってよい。また、出力先の装置は、例えば、カッティングヘッド付きのインクジェットプリンタである。この装置は、例えばカッティングプロッタ等であってよい。
【００１９】
このように構成すれば、例えば、それぞれ別のファイルとして生成されたプリント用ＲＩＰ入力ファイル及びカット用ＲＩＰ入力ファイルに基づき、両者の関連付けを考慮しつつ、適切にＲＩＰ処理を行うことができる。これにより、例えば、構成１と同様の効果を得ることができる。また、プリント用ＲＩＰ入力ファイル及びカット用ＲＩＰ入力ファイルを出力するタイミングを制御することにより、出力先の装置に、例えば、適切に印刷及び切断を行わせることができる。
【００２０】
尚、プリント用ＲＩＰ入力ファイルとカット用ＲＩＰ入力ファイルとが互いに関連付けられておらず、入力ファイル検索処理において一方のファイルのみが発見された場合、コンピュータは、例えば、プリント用ＲＩＰ出力ファイル生成処理及びカット用ＲＩＰ出力ファイル生成処理のうち、そのファイルに対応する処理のみを行う。また、この場合、ＲＩＰ出力ファイル出力処理において、コンピュータは、プリント用ＲＩＰ出力ファイル及びカット用ＲＩＰ出力ファイルのうち、発見された一方のファイルに対応するファイルのみを出力する。このように構成すれば、必要に応じて、出力先の装置に、印刷又は切断の一方のみを適切に行わせることができる。
【００２１】
（構成５）プリント用ＲＩＰ入力ファイルは、コメント情報を書き込むデータ領域を含み、プリント用ＲＩＰ入力ファイルに基づく印刷動作を制御する印刷制御用情報が、プリント用ＲＩＰ入力ファイルのコメント情報として書き込まれており、カット用ＲＩＰ入力ファイルは、コメント情報を書き込むデータ領域を含み、カット用ＲＩＰ入力ファイルに基づく切断動作を制御する切断制御用情報が、カット用ＲＩＰ入力ファイルのコメント情報として書き込まれており、プログラムは、プリント用ＲＩＰ入力ファイルのコメント情報から印刷制御用情報を取得し、カット用ＲＩＰ入力ファイルのコメント情報から切断制御用情報を取得し、取得した印刷制御用情報及び切断制御用情報を表示部に表示する制御情報表示処理と、ユーザによる印刷制御用情報及び切断制御用情報の変更を受け付ける制御情報変更受け付け処理とを更にコンピュータに行わせ、プリント用ＲＩＰ出力ファイル生成処理は、印刷制御用情報を反映させてプリント用ＲＩＰ出力ファイルを生成する処理であり、制御情報変更受け付け処理において印刷制御用情報が変更された場合、変更後の印刷制御用情報を反映させて、プリント用ＲＩＰ出力ファイルを生成し、カット用ＲＩＰ出力ファイル生成処理は、切断制御用情報を反映させてカット用ＲＩＰ出力ファイルを生成する処理であり、制御情報変更受け付け処理において切断制御用情報が変更された場合、変更後の切断制御用情報を反映させて、カット用ＲＩＰ出力ファイルを生成する。
【００２２】
このように構成すれば、例えば、ＲＩＰ処理を行う前に、必要に応じて、設定等を適宜変更できる。また、これにより、出力先の装置の動作をより柔軟かつ適切に制御できる。
【００２３】
尚、プリント用ＲＩＰ入力ファイル及びカット用ＲＩＰ入力ファイルには、例えば、制御情報表示処理及び制御情報変更受け付け処理を実行するか否かの指示が、コメント情報として書き込まれる。この場合、プログラムは、例えば、実行する旨のコメント情報が書き込まれていた場合に、コンピュータに、制御情報表示処理及び制御情報変更受け付け処理を実行させる。
【００２４】
このように構成すれば、例えば、必要な場合にのみコンピュータに制御情報表示処理及び制御情報変更受け付け処理を実行させることができる。また、これにより、制御情報表示処理及び制御情報変更受け付け処理を実行させない場合において、ユーザの手間をより軽減し、自動的にＲＩＰ処理を行うことができる。
【００２５】
（構成６）ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを生成するＲＩＰ入力ファイル生成装置であって、印刷される画像を示すプリントデータと、画像を媒体から切断する切断線を示すカットデータとを作成するデータ生成部と、プリントデータをＲＩＰ入力形式ファイルに変換することにより、プリントデータに対応するＲＩＰ入力形式ファイルであるプリント用ＲＩＰ入力ファイルを生成するプリント用ＲＩＰ入力ファイル生成部と、カットデータをＲＩＰ入力形式ファイルに変換することにより、カットデータに対応するＲＩＰ入力形式ファイルであるカット用ＲＩＰ入力ファイルを生成するカット用ＲＩＰ入力ファイル生成部と、ＲＩＰ処理を行うＲＩＰ処理装置の記憶装置における予め設定されたフォルダへ、プリント用ＲＩＰ入力ファイル及びカット用ＲＩＰ入力ファイルを出力するファイル出力部とを備え、プリント用ＲＩＰ入力ファイル生成部は、カット用ＲＩＰ入力ファイルと関連付けられ、かつ、プリント用ＲＩＰ入力ファイルであることを識別可能なＩＤ情報を付して、プリント用ＲＩＰ入力ファイルを生成し、カット用ＲＩＰ入力ファイル生成部は、プリント用ＲＩＰ入力ファイルと関連付けられ、かつ、カット用ＲＩＰ入力ファイルであることを識別可能なＩＤ情報を付して、カット用ＲＩＰ入力ファイルを生成する。
【００２６】
このように構成すれば、例えば、構成１と同様の効果を得ることができる。ＲＩＰ入力ファイル生成装置は、例えばプログラムに従って動作するコンピュータであってよい。この場合、例えばコンピュータのＣＰＵが、プログラムに従って、ＲＩＰ入力ファイル生成装置の各部として動作する。
【００２７】
（構成７）ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを生成するＲＩＰ入力ファイル生成方法であって、印刷される画像を示すプリントデータと、画像を媒体から切断する切断線を示すカットデータとを作成するデータ生成段階と、プリントデータをＲＩＰ入力形式ファイルに変換することにより、プリントデータに対応するＲＩＰ入力形式ファイルであるプリント用ＲＩＰ入力ファイルを生成するプリント用ＲＩＰ入力ファイル生成段階と、カットデータをＲＩＰ入力形式ファイルに変換することにより、カットデータに対応するＲＩＰ入力形式ファイルであるカット用ＲＩＰ入力ファイルを生成するカット用ＲＩＰ入力ファイル生成段階と、ＲＩＰ処理を行うＲＩＰ処理装置の記憶装置における予め設定されたフォルダへ、プリント用ＲＩＰ入力ファイル及びカット用ＲＩＰ入力ファイルを出力するファイル出力段階とを備え、プリント用ＲＩＰ入力ファイル生成段階は、カット用ＲＩＰ入力ファイルと関連付けられ、かつ、プリント用ＲＩＰ入力ファイルであることを識別可能なＩＤ情報を付して、プリント用ＲＩＰ入力ファイルを生成し、カット用ＲＩＰ入力ファイル生成段階は、プリント用ＲＩＰ入力ファイルと関連付けられ、かつ、カット用ＲＩＰ入力ファイルであることを識別可能なＩＤ情報を付して、カット用ＲＩＰ入力ファイルを生成する。このようにすれば、例えば、構成１と同様の効果を得ることができる。
【００２８】
（構成８）ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを出力先の装置が解釈可能なデータ形式のＲＩＰ出力形式ファイルへ変換するＲＩＰ処理を行うＲＩＰ処理装置であって、記憶装置における予め設定されたフォルダ内を検索することにより、印刷される画像を示すＲＩＰ入力形式ファイルであるプリント用ＲＩＰ入力ファイルと、画像を媒体から切断する切断線を示すＲＩＰ入力形式ファイルであるカット用ＲＩＰ入力ファイルとを検索する入力ファイル検索部と、入力ファイル検索部がプリント用ＲＩＰ入力ファイルを発見した場合に当該プリント用ＲＩＰ入力ファイルをＲＩＰ出力形式ファイルへ変換することにより、プリント用ＲＩＰ入力ファイルに対応するＲＩＰ出力形式ファイルであるプリント用ＲＩＰ出力ファイルを生成するプリント用ＲＩＰ出力ファイル生成部と、入力ファイル検索部がカット用ＲＩＰ入力ファイルを発見した場合に当該カット用ＲＩＰ入力ファイルをＲＩＰ出力形式ファイルへ変換することにより、カット用ＲＩＰ入力ファイルに対応するＲＩＰ出力形式ファイルであるカット用ＲＩＰ出力ファイルを生成するカット用ＲＩＰ出力ファイル生成部と、プリント用ＲＩＰ出力ファイル及びカット用ＲＩＰ出力ファイルを出力先の装置へ出力するＲＩＰ出力ファイル出力部とを備え、出力先の装置は、プリント用ＲＩＰ出力ファイルに従って画像を印刷し、かつ、カット用ＲＩＰ出力ファイルに従って媒体を切断する装置であり、プリント用ＲＩＰ入力ファイルには、カット用ＲＩＰ入力ファイルと関連付けられ、かつ、プリント用ＲＩＰ入力ファイルであることを識別可能なＩＤ情報が付されており、カット用ＲＩＰ入力ファイルには、プリント用ＲＩＰ入力ファイルと関連付けられ、かつ、カット用ＲＩＰ入力ファイルであることを識別可能なＩＤ情報が付されており、入力ファイル検索部は、プリント用ＲＩＰ入力ファイルのＩＤ情報、及びカット用ＲＩＰ入力ファイルのＩＤ情報を識別することにより、プリント用ＲＩＰ入力ファイルと、カット用ＲＩＰ入力ファイルとを区別して検索し、ＲＩＰ出力ファイル出力部は、プリント用ＲＩＰ入力ファイルのＩＤ情報、及びカット用ＲＩＰ入力ファイルのＩＤ情報に基づいて互いに関連付けられたプリント用ＲＩＰ出力ファイル及びカット用ＲＩＰ出力ファイルのそれぞれを、関連付けに応じてそれぞれ設定されたタイミングで、出力先の装置へ出力する。
【００２９】
このように構成すれば、例えば、構成４と同様の効果を得ることができる。ＲＩＰ処理装置は、例えばプログラムに従って動作するコンピュータであってよい。この場合、例えばコンピュータのＣＰＵが、プログラムに従って、ＲＩＰ処理装置の各部として動作する。
【００３０】
（構成９）ＲＩＰ（Ｒａｓｔｅｒ  Ｉｍａｇｅ  Ｐｒｏｃｅｓｓｏｒ）処理の入力データとなるデータ形式のＲＩＰ入力形式ファイルを出力先の装置が解釈可能なデータ形式のＲＩＰ出力形式ファイルへ変換するＲＩＰ処理を行うＲＩＰ処理方法であって、記憶装置における予め設定されたフォルダ内を検索することにより、印刷される画像を示すＲＩＰ入力形式ファイルであるプリント用ＲＩＰ入力ファイルと、画像を媒体から切断する切断線を示すＲＩＰ入力形式ファイルであるカット用ＲＩＰ入力ファイルとを検索する入力ファイル検索段階と、入力ファイル検索段階においてプリント用ＲＩＰ入力ファイルを発見した場合に当該プリント用ＲＩＰ入力ファイルをＲＩＰ出力形式ファイルへ変換することにより、プリント用ＲＩＰ入力ファイルに対応するＲＩＰ出力形式ファイルであるプリント用ＲＩＰ出力ファイルを生成するプリント用ＲＩＰ出力ファイル生成段階と、入力ファイル検索段階においてカット用ＲＩＰ入力ファイルを発見した場合に当該カット用ＲＩＰ入力ファイルをＲＩＰ出力形式ファイルへ変換することにより、カット用ＲＩＰ入力ファイルに対応するＲＩＰ出力形式ファイルであるカット用ＲＩＰ出力ファイルを生成するカット用ＲＩＰ出力ファイル生成段階と、プリント用ＲＩＰ出力ファイル及びカット用ＲＩＰ出力ファイルを出力先の装置へ出力するＲＩＰ出力ファイル出力段階とを備え、出力先の装置は、プリント用ＲＩＰ出力ファイルに従って画像を印刷し、かつ、カット用ＲＩＰ出力ファイルに従って媒体を切断する装置であり、プリント用ＲＩＰ入力ファイルには、カット用ＲＩＰ入力ファイルと関連付けられ、かつ、プリント用ＲＩＰ入力ファイルであることを識別可能なＩＤ情報が付されており、カット用ＲＩＰ入力ファイルには、プリント用ＲＩＰ入力ファイルと関連付けられ、かつ、カット用ＲＩＰ入力ファイルであることを識別可能なＩＤ情報が付されており、入力ファイル検索段階は、プリント用ＲＩＰ入力ファイルのＩＤ情報、及びカット用ＲＩＰ入力ファイルのＩＤ情報を識別することにより、プリント用ＲＩＰ入力ファイルと、カット用ＲＩＰ入力ファイルとを区別して検索し、ＲＩＰ出力ファイル出力段階は、プリント用ＲＩＰ入力ファイルのＩＤ情報、及びカット用ＲＩＰ入力ファイルのＩＤ情報に基づいて互いに関連付けられたプリント用ＲＩＰ出力ファイル及びカット用ＲＩＰ出力ファイルのそれぞれを、関連付けに応じてそれぞれ設定されたタイミングで、出力先の装置へ出力するこのようにすれば、例えば、構成４と同様の効果を得ることができる。
【００３１】
（構成１０）媒体への画像の印刷、及び切断線に沿った媒体の切断を行う印刷切断システムであって、構成６に記載のＲＩＰ入力ファイル生成装置と、構成８に記載のＲＩＰ処理装置と、ＲＩＰ処理装置の出力先の装置である印刷切断装置とを備える。入力ファイル生成装置及びＲＩＰ処理装置は、例えば１台の共通のコンピュータにより構成されてもよい。このように構成すれば、例えば、構成６及び構成８と同様の効果を得ることができる。
【発明の効果】
【００３２】
本発明によれば、例えば、印刷される画像及び切断線を示すファイルを、容易かつ適切に準備できる。
【発明を実施するための最良の形態】
【００３３】
以下、本発明に係る実施形態を、図面を参照しながら説明する。図１は、本発明の一実施形態に係る印刷切断システム１０の構成の一例を示す。印刷切断システム１０は、媒体への画像の印刷、及び切断線に沿った媒体の切断を行うシステムであり、クライアントＰＣ１２、ＲＩＰ用ＰＣ１４、及び印刷切断装置１６を備える。印刷切断システム１０は、これらの各構成の一部又は全てを、複数台備えてもよい。また、例えば、クライアントＰＣ１２及びＲＩＰ用ＰＣ１４を、例えば１台のコンピュータで構成してもよい。
【００３４】
本例において、クライアントＰＣ１２とＲＩＰ用ＰＣ１４との間は、例えばイーサネット（登録商標）ケーブルにより、ネットワークを介して接続されている。また、ＲＩＰ用ＰＣ１４と印刷切断装置１６との間は、例えばＵＳＢ２．０規格のＵＳＢケーブルにより接続されている。
【００３５】
クライアントＰＣ１２は、グラフィックソフトウェアのプログラムがインストールされたコンピュータである。クライアントＰＣ１２は、このグラフィックソフトウェアに従ってＲＩＰ入力ファイル生成装置として動作することにより、後段のＲＩＰ（Ｒａｓｔｅｒ  Ｉｍａｇｅ  Ｐｒｏｃｅｓｓｏｒ）処理の入力データとなるデータ形式のＲＩＰ入力形式ファイルを生成及び出力する。
【００３６】
本例において、クライアントＰＣ１２は、ＲＩＰ入力形式ファイルとして、ＩＤ情報により互いに関連付けられたプリント用ＲＩＰ入力ファイル及びカット用ＲＩＰ入力ファイルを生成する。プリント用ＲＩＰ入力ファイルは、印刷される画像を示すプリントデータに対応するＲＩＰ入力形式ファイルである。また、カット用ＲＩＰ入力ファイルは、画像を媒体から切断する切断線を示すカットデータに対応するＲＩＰ入力形式ファイルである。プリント用ＲＩＰ入力ファイル、及びカット用ＲＩＰ入力ファイルは、例えばＥＰＳ形式等のＰｏｓｔｓｃｒｉｐｔファイルである。プリント用ＲＩＰ入力ファイル及びカット用ＲＩＰ入力ファイルは、ＰＤＦファイル等であってもよい。
【００３７】
また、クライアントＰＣ１２は、生成したプリント用ＲＩＰ入力ファイル及びカット用ＲＩＰ入力ファイルを、ＲＩＰ用ＰＣ１４に設定された共有フォルダへ、ネットワークを介して出力する。これにより、クライアントＰＣ１２は、プリント用ＲＩＰ入力ファイル及びカット用ＲＩＰ入力ファイルを、ＲＩＰ用ＰＣ１４に受け渡す。
【００３８】
尚、クライアントＰＣ１２は、必要に応じて、プリント用ＲＩＰ入力ファイル及びカット用ＲＩＰ入力ファイルの一方のみを生成してもよい。クライアントＰＣ１２の動作については、後に更に詳しく説明する。
【００３９】
ＲＩＰ用ＰＣ１４は、ＲＩＰ処理を行うコンピュータである。ＲＩＰ用ＰＣ１４は、ＲＩＰ処理用のソフトウェア（ＲＩＰソフトウェア）に従ってＲＩＰ処理装置として動作し、クライアントＰＣ１２から受け取るＲＩＰ入力形式ファイルであるプリント用ＲＩＰ入力ファイル及びカット用ＲＩＰ入力ファイルを、出力先の装置である印刷切断装置１６が解釈可能なデータ形式のＲＩＰ出力形式ファイルへ変換する。
【００４０】
本例において、ＲＩＰ用ＰＣ１４は、記憶装置１０２において予め設定された共有フォルダを利用して、プリント用ＲＩＰ入力ファイル及びカット用ＲＩＰ入力ファイルを受け取る。また、プリント用ＲＩＰ入力ファイル及びカット用ＲＩＰ入力ファイルのＩＤ情報に基づき、互いに関連付けられているプリント用ＲＩＰ入力ファイル及びカット用ＲＩＰ入力ファイルを認識し、自動的に連携させる。
【００４１】
そして、ＲＩＰ用ＰＣ１４は、ＲＩＰ処理により、ＲＩＰ出力形式ファイルとして、プリント用ＲＩＰ入力ファイルに対応するプリント用ＲＩＰ出力ファイルと、カット用ＲＩＰ入力ファイルに対応するカット用ＲＩＰ出力ファイルとを生成する。また、生成したプリント用ＲＩＰ出力ファイル及びカット用ＲＩＰ入力ファイルを、ＩＤ情報による関連付けに応じたタイミングで、印刷切断装置１６へ出力する。尚、ＲＩＰ用ＰＣ１４の動作についても、後に更に詳しく説明する。
【００４２】
印刷切断装置１６は、ＲＩＰ用ＰＣ１４が生成するプリント用ＲＩＰ出力ファイル及びカット用ＲＩＰ出力ファイルの出力先の装置であり、例えばＵＳＢケーブルを介して、これらのファイルを、ＲＩＰ用ＰＣ１４から順次受け取る。本例において、印刷切断装置１６は、ＲＩＰ用ＰＣ１４から受け取るプリント用ＲＩＰ出力ファイルに従って、画像の印刷を行う。そして、カット用ＲＩＰ出力ファイルに従って、設定された切断線に沿って、画像を媒体から切断する。また、この場合、印刷切断装置１６は、例えば、印刷後、媒体の切断を行う前に、例えばＲＩＰ用ＰＣ１４の指示に応じて、媒体の位置合わせを行う。
【００４３】
尚、印刷切断装置１６は、例えば、カット用ＲＩＰ出力ファイルに従ってカッターを縦横に移動させることにより、画像を媒体から切断する。印刷切断装置１６は、例えば直線状の部分や曲線状の部分を含む切断線に沿って、画像を切断してよい。印刷切断装置１６は、例えば、カッターが設けられたカッティングヘッド付きのインクジェットプリンタである。印刷切断装置１６は、例えばカッティングプロッタ等であってよい。
【００４４】
また、印刷切断装置１６は、例えばシール等の台紙上に本紙が貼り付けられている媒体に対して印刷及び切断を行ってよい。この場合、印刷切断装置１６は、例えば、台紙までカッターの刃が届かない圧力で切断を行うことにより、本紙のみを切断してもよい。
【００４５】
また、印刷切断装置１６は、例えば、先に媒体の切断を行った後に、媒体への印刷を行ってもよい。この場合、例えば、印刷後にインクの乾燥を待つ必要がないため、全体での作業時間を短縮できる。また、この場合、ＲＩＰ用ＰＣ１４は、例えば、カット用ＲＩＰ出力ファイルを出力した後に、プリント用ＲＩＰ出力ファイルを出力する。
【００４６】
本例によれば、例えば、クライアントＰＣ１２のグラフィックソフトウェアにより作成されるプリントデータ及びカットデータに基づき、ＲＩＰ処理を適切に行うことができる。また、これにより、適切に印刷及び画像の切断を行うことができる。
【００４７】
図２は、クライアントＰＣ１２の動作の一例を示すフローチャートである。クライアントＰＣ１２は、プリントデータ及びカットデータの作成用のグラフィックソフトウェアに従い、以下の動作を行う。
【００４８】
尚、プリントデータ用のグラフィックソフトウェアと、カットデータ用のグラフィックソフトウェアとは、同じソフトウェアであってもよく、それぞれ別のソフトウェアであってもよい。プリントデータ及びカットデータの作成用のグラフィックソフトウェアとしては、例えば、イラストレーター（登録商標）等の公知のグラフィックソフトウェアを用いることができる。この場合、例えば、カットデータの作成用のプラグインソフトウェアが更にインストールされる。また、公知のグラフィックソフトウェアに代えて、例えば、プリントデータ及びカットデータの両方を作成可能な独自のグラフィックソフトウェアを用いてもよい。
【００４９】
これらのグラフィックソフトウェアの機能により、クライアントＰＣ１２は、先ず、データ生成処理を行い、例えば画像及び切断線を描画するユーザの操作に基づき、プリントデータ及びカットデータを生成する（Ｓ１０２）。このプリントデータ及びカットデータは、例えば、グラフィックソフトウェアのデータ形式で画像及び切断線を示すデータである。
【００５０】
そして、データの作成後、クライアントＰＣ１２は、プリント用ＲＩＰ入力ファイル生成処理及びカット用ＲＩＰ入力ファイル生成処理を行うことにより、プリントデータ及びカットデータを、ＲＩＰ入力形式ファイルに変換する（Ｓ１０４）。これにより、クライアントＰＣ１２は、プリントデータに対応するプリント用ＲＩＰ入力ファイル、及びカットデータに対応するカット用ＲＩＰ入力ファイルを生成する。
【００５１】
ここで、本例において、クライアントＰＣ１２は、ＩＤ情報を付して、プリント用ＲＩＰ入力ファイル及びカット用ＲＩＰ入力ファイルを生成する。例えば、プリント用ＲＩＰ入力ファイル生成処理において、クライアントＰＣ１２は、カット用ＲＩＰ入力ファイルと関連付けられ、かつ、プリント用ＲＩＰ入力ファイルであることを識別可能なＩＤ情報を付して、プリント用ＲＩＰ入力ファイルを生成する。また、カット用ＲＩＰ入力ファイル生成処理において、クライアントＰＣ１２は、プリント用ＲＩＰ入力ファイルと関連付けられ、かつ、カット用ＲＩＰ入力ファイルであることを識別可能なＩＤ情報を付して、カット用ＲＩＰ入力ファイルを生成する。クライアントＰＣ１２は、これらのＩＤ情報を、例えば、コメント情報として、それぞれのファイル内に付す。クライアントＰＣ１２は、ＩＤ情報を、それぞれのファイル名内に付してもよい。
【００５２】
そして、プリント用ＲＩＰ入力ファイル及びカット用ＲＩＰ入力ファイルの生成後、クライアントＰＣ１２は、ファイル出力処理を行い、ＲＩＰ用ＰＣ１４の記憶装置１０２における予め設定された共有フォルダへ、ネットワークを介して、プリント用ＲＩＰ入力ファイル及びカット用ＲＩＰ入力ファイルを出力する（Ｓ１０６）。これにより、クライアントＰＣ１２は、プリントデータ及びカットデータのそれぞれに対応するＲＩＰ入力形式ファイルを、合計２ファイルの別々のファイルであるプリント用ＲＩＰ入力ファイル及びカット用ＲＩＰ入力ファイルとして、ＲＩＰ用ＰＣ１４へ受け渡す。
【００５３】
本例によれば、例えば、後段のＲＩＰ処理の入力ファイルとして、印刷される画像及び切断線のそれぞれを示すプリント用ＲＩＰ入力ファイル及びカット用ＲＩＰ入力ファイルを適切に生成できる。これにより、例えば、印刷される画像及び切断線をそれぞれ示すファイルを、容易かつ適切に準備できる。また、ＩＤ情報により両ファイルを関連付けることにより、後段のＲＩＰ処理において、印刷される画像と切断線とを適切に対応付けて処理を行うことができる。
【００５４】
尚、図１に関連して説明したように、本例において、印刷切断装置１６は、プリントデータ及びカットデータに対応するファイルとして、２ファイルに分かれたプリント用ＲＩＰ出力ファイル及びカット用ＲＩＰ出力ファイルを順次受け取る。そして、例えば、印刷後、媒体の切断を行う前に、媒体の位置合わせを行う。そのため、クライアントＰＣ１２は、この位置合わせを考慮したプリント用ＲＩＰ入力ファイル及びカット用ＲＩＰ入力ファイルを生成することが好ましい。
【００５５】
本例において、クライアントＰＣ１２は、例えば、プリント用ＲＩＰ入力ファイル及びカット用ＲＩＰ入力ファイル内のオブジェクトとして、プリントデータとカットデータとをマージした時の最大矩形に隣接するように、線なし、色なしのダミーオブジェクトを自動で生成する。そして、このダミーオブジェクトを含むＢｏｕｎｄｉｎｇＢｏｘを、プリント用ＲＩＰ入力ファイル及びカット用ＲＩＰ入力ファイルに設定する。ＢｏｕｎｄｉｎｇＢｏｘとは、例えば、Ｐｏｓｔｓｃｒｉｐｔファイルにおいて図を描画するために確保する領域の左下の点と右上の点の座標を指定するパラメータである。本例によれば、例えば、プリントデータとカットデータのサイズが同じになり、ＲＩＰ処理において、特別な位置合わせをする必要がなくなる。また、これにより、原点を同じにすることで簡単に位置合わせを行うことが可能となる。
【００５６】
以下、プリント用ＲＩＰ入力ファイル及びカット用ＲＩＰ入力ファイルについて更に詳しく説明する。本例において、クライアントＰＣ１２は、プリント用ＲＩＰ入力ファイル及びカット用ＲＩＰ入力ファイルとして、コメント情報を書き込むデータ領域を含む形式のファイルであるＰｏｓｔｓｃｒｉｐｔファイルを生成する。そして、プリント用ＲＩＰ入力ファイル生成処理において、クライアントＰＣ１２は、プリント用ＲＩＰ入力ファイルのコメント情報として、印刷制御用情報を書き込む。また、カット用ＲＩＰ入力ファイル生成処理において、クライアントＰＣ１２は、コメント情報として、切断制御用情報を書き込む。
【００５７】
印刷制御用情報とは、例えば、プリント用ＲＩＰ入力ファイルに基づく印刷動作を制御する情報である。切断制御用情報とは、例えば、カット用ＲＩＰ入力ファイルに基づく切断動作を制御する情報である。これらの情報は、例えばレイアウト情報やその他の各種制御情報を含む情報であってよい。本例によれば、例えば、印刷条件やカット条件の設定を、柔軟かつ適切に行うことができる。また、本例においては、例えば、プリント用ＲＩＰ入力ファイルとカット用ＲＩＰ入力ファイルとを別にファイルとして出力することにより、それぞれのファイルに対し、個別の設定等を行うことが容易になる。
【００５８】
また、本例においては、例えば、プラグインソフトウェア又は独自のグラフィックソフトウェアの機能を用いることにより、イラストレーター（登録商標）等の機能だけでは作成が難しい切断線も簡単に作成可能になる。このような切断線の作成例としては、例えば、カット条件の異なる複数種類の切断線を用いることが考えられる。
【００５９】
この場合、例えば、プラグインソフトウェア又は独自のグラフィックソフトウェアにおいて、例えば、切断線を描画するツールとして、それぞれ異なるカット条件と対応付けられた複数のツールが使用される。また、各ツールのカット条件は、予め準備された複数種類の特色のそれぞれと対応付けられている。この特色は、カット条件対応色の一例である。クライアントＰＣ１２は、例えば予め設定された書式（フォーマット）に従って、カット条件対応色として用いる複数種類の特色を自動的に生成する。
【００６０】
これにより、データ作成処理において、クライアントＰＣ１２は、例えばユーザによるこれらのツールの操作に応じて、カット条件がそれぞれ異なる複数の切断線を示すカットデータを作成する。また、カット用ＲＩＰ入力ファイル生成処理において、クライアントＰＣ１２は、カットデータ中の複数の切断線を認識し、認識したそれぞれの切断線の色として、その切断線に対するカット条件と対応付けられているカット条件対応色を指定する。また、クライアントＰＣ１２は、更に、カット条件対応色とカット条件とを対応付けたカット条件情報を、カット用ＲＩＰ入力ファイルのコメント情報として書き込む。これにより、クライアントＰＣ１２は、それぞれ異なるカット条件と対応付けられた複数の切断線を示すカット用ＲＩＰ入力ファイルを生成する。
【００６１】
尚、このカット条件は、例えば、切断の速度、圧力、ツールオフセット、切断線の線種の指定等である。切断線の線種の指定とは、例えば、実線、又はミシン目状の線等の指定である。また、カット条件と特色名との対応は、１対１の対応となる。但し、特色名と切断線との対応は１対多でよく、同じ特色名（カット条件）を複数の切断線に設定できる。
【００６２】
このように構成すれば、例えば、一つのカット用ＲＩＰ入力ファイル内で、切断される位置やオブジェクトに応じて、複数種類のカット条件を設定することが可能になる。例えば、簡単な四角形のパスは通常の速度でカットする一方で、細かい文字のカットは、カット速度を遅くして、丁寧にカットすること等が可能になる。また、例えば、一番外の矩形領域を、後で簡単に切り離すことができるように点線でカットすることもできる。そのため、本例によれば、例えば、カット条件の設定をより柔軟に行うことが可能になる。続いて、プリント用ＲＩＰ入力ファイル及びカット用ＲＩＰ入力ファイルに付されるＩＤ情報について更に詳しく説明する。
【００６３】
図３は、ＩＤ情報の一例を示す図である。本例において、クライアントＰＣ１２は、Ｐｏｓｔｓｃｒｉｐｔファイルであるプリント用ＲＩＰ入力ファイル及びカット用ＲＩＰ入力ファイルのそれぞれのコメント情報として、データ分類用のＩＤ情報を書き込む。
【００６４】
本例において、クライアントＰＣ１２は、先頭に、所定の文字列（ＭＰＣ）を含むＩＤ情報を書き込む。また、このＩＤ情報は、この文字列の後ろに、更に、プリント用ＲＩＰ入力ファイル及びカット用ＲＩＰ入力ファイルのいずれであるかを示す文字列（ＰＲ又はＣＵ）、プリント用ＲＩＰ入力ファイル及びカット用ＲＩＰ入力ファイルに対して行うオペレーション（動作）を指定するフラグ（０１、０２等）、及びファイルが生成されたタイミングを年月日時分秒ミリ秒で示す文字列（ＹＹＹＹＭＭＤＤＨＨＭＭＳＳＭＭＭ）を含む。また、ＩＤ情報は、これらの要素の間に、アンダーバー（＿）を含む。
【００６５】
例えば、印刷後に切断を行うオペレーション（Ｐｒｉｎｔ＆Ｃｕｔ、プリント後、カット）を行う場合、クライアントＰＣ１２は、ＩＤ情報により互いに関連付けられたプリント用ＲＩＰ入力ファイル及びカット用ＲＩＰ入力ファイルを生成する。この場合、クライアントＰＣ１２は、プリント用ＲＩＰ入力ファイルのＩＤ情報として、例えば、図示した表の第１行目に示したように、文字列ＭＰＣ＿ＰＲ＿０１＿ＹＹＹＹＭＭＤＤＨＨＭＭＳＳＭＭＭを書き込む。また、カット用ＲＩＰ入力ファイルのＩＤ情報として、例えば表の第３行目に示したように、文字列ＭＰＣ＿ＣＵ＿０１＿ＹＹＹＹＭＭＤＤＨＨＭＭＳＳＭＭＭを書き込む。
【００６６】
この場合、ＩＤ情報中の文字列ＰＲは、そのファイルがプリント用ＲＩＰ入力ファイルであることを示す。また、文字列ＣＵは、そのファイルがプリント用ＲＩＰ入力ファイルであることを示す。そして、これらに続く数字０１は、印刷後に切断を行うオペレーションを指定するフラグであり、そのファイルと関連付けられているファイルが存在することを示す。また、文字列ＹＹＹＹＭＭＤＤＨＨＭＭＳＳＭＭＭは、ファイルが生成されたタイミングを示す文字列であり、実際には、そのタイミングの時刻を示す数字の列が用いられる。
【００６７】
尚、本例において、クライアントＰＣ１２は、互いに関連付けられているプリント用ＲＩＰ入力ファイル及びカット用ＲＩＰ入力ファイルにおける文字列ＹＹＹＹＭＭＤＤＨＨＭＭＳＳＭＭＭを、同じ値に設定する。この値は、例えば、先に生成されるファイルが生成されたタイミングを示す文字列であってよい。
【００６８】
また、印刷のみを行うオペレーション（単独（Ｐｒｉｎｔ）、プリントのみ）を行う場合、クライアントＰＣ１２は、単独のプリント用ＲＩＰ入力ファイルを生成する。この場合、クライアントＰＣ１２は、ＩＤ情報として、例えば、表の第２行目に示したように、文字列ＭＰＣ＿ＰＲ＿０２＿ＹＹＹＹＭＭＤＤＨＨＭＭＳＳＭＭＭを書き込む。また、切断のみを行うオペレーション（単独（Ｃｕｔ）、カットのみ）を行う場合、クライアントＰＣ１２は、単独のカット用ＲＩＰ入力ファイルを生成する。この場合、クライアントＰＣ１２は、ＩＤ情報として、例えば、表の第４行目に示したように、文字列ＭＰＣ＿ＣＵ＿０２＿ＹＹＹＹＭＭＤＤＨＨＭＭＳＳＭＭＭを書き込む。これらのＩＤ情報において、数字０２は、プリント又はカットのみを単独で行うオペレーションを指定するフラグであり、そのファイルと関連付けられているファイルが存在しないことを示す。また、それ以外の部分については、印刷後に切断を行うオペレーションの場合と同様である。
【００６９】
尚、プリント用ＲＩＰ入力ファイル及びカット用ＲＩＰ入力ファイルに対して行うオペレーション（動作）を指定するフラグとしては、上記以外に、例えば、切断後に印刷を行うオペレーションを指定する値を設定することも考えられる。この場合、フラグの値は、例えば０３等とすることが考えられる。
【００７０】
クライアントＰＣ１２は、これらのＩＤ情報を、所定のフィールド名（例えば、％ＭｉｍａｋｉＤａｔａＴｙｐｅ）の値として、ファイル中に書き込む。例えば、印刷後に切断を行うオペレーションを行う場合、クライアントＰＣ１２は、プリント用ＲＩＰ入力ファイルのコメント情報として、％ＭｉｍａｋｉＤａｔａＴｙｐｅ：ＭＰＣ＿ＰＲ＿０１＿ＹＹＹＹＭＭＤＤＨＨＭＭＳＳＭＭＭといった文字列を書き込む。また、カット用ＲＩＰ入力ファイルのコメント情報として、クライアントＰＣ１２は、％ＭｉｍａｋｉＤａｔａＴｙｐｅ：ＭＰＣ＿ＣＵ＿０１＿ＹＹＹＹＭＭＤＤＨＨＭＭＳＳＭＭＭといった文字列を書き込む。
【００７１】
この場合、ＲＩＰ用ＰＣ１４は、プリント用ＲＩＰ入力ファイル及びカット用ＲＩＰ入力ファイルに対するコメント情報の解析時において、所定のコメント（ＭｉｍａｋｉＤａｔａＴｙｐｅ）を検索し、その値を取得することにより、ＩＤ情報を取得できる。また、これにより、ファイルの種類を適切に分類できる。本例によれば、プリント用ＲＩＰ入力ファイル及びカット用ＲＩＰ入力ファイルに対し、適切にＩＤ情報を書き込むことができる。
【００７２】
尚、クライアントＰＣ１２は、上記のＩＤ情報と同一又は同様の文字列を含むファイル名を付けることにより、プリント用ＲＩＰ入力ファイル及びカット用ＲＩＰ入力ファイルにＩＤ情報を付してもよい。また、ＩＤ情報の内容の一部を、ファイル名中に含めてもよい。
【００７３】
また、クライアントＰＣ１２は、プリント用ＲＩＰ入力ファイル及びカット用ＲＩＰ入力ファイルのそれぞれのファイル名について、拡張子を異ならせることが好ましい。この場合、例えば、プリント用ＲＩＰ入力ファイルの拡張子をｍｍｋｐｐｓ等とし、カット用ＲＩＰ入力ファイルの拡張子をｍｍｋｃｐｓ等とすることが考えられる。このようにすれば、例えば、グラフィックソフトウェアから印刷だけを目的にＲＩＰ用ＰＣ１４へデータを出力する場合等において、コメント情報によらずに、ファイルの種類を適切に識別できる。
【００７４】
図４は、ＲＩＰ用ＰＣ１４の動作の一例を示すフローチャートである。ＲＩＰ用ＰＣ１４は、ＲＩＰソフトウェアに従って、以下の動作を行う。
【００７５】
本例において、ＲＩＰ用ＰＣ１４は、先ず、入力ファイル検索処理を行う（Ｓ２０２、Ｓ２０４）。入力ファイル検索処理において、ＲＩＰ用ＰＣ１４は、記憶装置１０２に設定された共有フォルダを監視することにより、共有フォルダ内で、プリント用ＲＩＰ入力ファイル及びカット用ＲＩＰ入力ファイルとを検索する（Ｓ２０２）。
【００７６】
また、ＲＩＰ処理の入力データとなるファイルを検索により発見した場合、ＲＩＰ用ＰＣ１４は、そのファイルのＩＤ情報を取得する（Ｓ２０４）。これにより、ＲＩＰ用ＰＣ１４は、ＩＤ情報を識別し、プリント用ＲＩＰ入力ファイルと、カット用ＲＩＰ入力ファイルとを区別して検索する。
【００７７】
そして、ＲＩＰ用ＰＣ１４は、ＩＤ情報に基づき、プリント用ＲＩＰ入力ファイルとカット用ＲＩＰ入力ファイルとの関連付けがその後に行うＲＩＰ処理において必要であるか否かを判断する（Ｓ２０６）。本例において、ＲＩＰ用ＰＣ１４は、例えば、ＩＤ情報における、オペレーションを指定するフラグ（０１又は０２）に基づき、関連付けの必要の有無を判断する。
【００７８】
そして、関連付けが必要ないと判断した場合（Ｓ２０６：Ｎｏ）、以降のＳ２０８〜Ｓ２１０を省略し、その次のステップ（Ｓ２１２）へ進む。一方、関連付けが必要と判断した場合（Ｓ２０６：Ｙｅｓ）、ＲＩＰ用ＰＣ１４は、更に、互いに関連付けられたプリント用ＲＩＰ入力ファイル及びカット用ＲＩＰ入力ファイルの両方が共有フォルダ内に存在するか否かを判定する（Ｓ２０８）。これにより、ＲＩＰ用ＰＣ１４は、関連付けに対応する両方のファイル（関連データ）が既に揃っているか否かを判定する。
【００７９】
ここで、関連データが揃っていないと判定した場合（Ｓ２０８：Ｎｏ）、ＲＩＰ用ＰＣ１４は、Ｓ２０２に戻り、再度共有フォルダを監視をする。これにより、クライアントＰＣ１２は、関連データが揃うまで、次の処理に進むのを待つ。
【００８０】
また、関連データが揃っていると判定した場合（Ｓ２０８：Ｙｅｓ）、以降に行うＲＩＰ処理の準備の一部として、プリント用ＲＩＰ入力ファイルとカット用ＲＩＰ入力ファイルとの間のデータの関連付けを行う（Ｓ２１０）。本例において、ＲＩＰ用ＰＣ１４は、ＩＤ情報における文字列ＹＹＹＹＭＭＤＤＨＨＭＭＳＳＭＭＭが同じプリント用ＲＩＰ入力ファイル及びカット用ＲＩＰ入力ファイルに対し、印刷後に切断を行うべきデータとして、ＲＩＰ処理において必要な関連付けを行う。
【００８１】
以上のように、ＲＩＰ用ＰＣ１４は、Ｓ２１０までの処理により、クライアントＰＣ１２から受け取る入力データを、印刷をするためのプリント用ＲＩＰ入力ファイル、切断をするためのカット用ＲＩＰ入力ファイル、印刷後に切断をするためのプリント用ＲＩＰ入力ファイル、及び印刷後に切断をするためのカット用ＲＩＰ入力ファイルの４つに分類する。尚、ＲＩＰ用ＰＣ１４は、ファイルの拡張子に更に基づき、ファイルの分類を行ってもよい。このようにすれば、より確実にファイルを分類できる。
【００８２】
続いて、ＲＩＰ用ＰＣ１４は、検索において発見したファイルを読み込むことにより、ＲＩＰ処理のデータ入力を行う（Ｓ２１２）。また、データ入力に続いて、ＲＩＰ用ＰＣ１４は、プリント用ＲＩＰ入力ファイル及びカット用ＲＩＰ入力ファイルに書き込まれたＰｏｓｔｓｃｒｉｐｔコメント（ＰＳコメント）に基づくコメント情報の解析及び情報取得を行う（Ｓ２１４）。これにより、ＲＩＰ用ＰＣ１４は、ＲＩＰ処理の各種設定を行う。
【００８３】
ここで、ＲＩＰ用ＰＣ１４は、このステップにおいて、例えば、プリント用ＲＩＰ入力ファイルのコメント情報から印刷制御用情報を取得する。また、カット用ＲＩＰ入力ファイルのコメント情報から、切断制御用情報を取得する。本例において、ＲＩＰ用ＰＣ１４は、例えば、プリント用ＲＩＰ入力ファイル及びカット用ＲＩＰ入力ファイルのコメント情報から取得した印刷制御用情報及び切断制御用情報を、例えば、個別の情報毎に分類したパラメータファイルに保存する。また、ＲＩＰ用ＰＣ１４は、例えば、必要に応じて制御情報表示処理及び制御情報変更受け付け処理を更に行い、ユーザによる設定の変更を受け付ける。
【００８４】
尚、プリント用ＲＩＰ入力ファイル及びカット用ＲＩＰ入力ファイルには、例えばコメント情報として、制御情報表示処理及び制御情報変更受け付け処理を実行するか否かの指示が書き込まれてる。ＲＩＰ用ＰＣ１４は、例えば、実行する旨のコメント情報が書き込まれていた場合に、制御情報表示処理及び制御情報変更受け付け処理を実行する。
【００８５】
制御情報表示処理及び制御情報変更受け付け処理を行う場合、制御情報表示処理において、ＲＩＰ用ＰＣ１４は、ＲＩＰ処理の各種設定を表示する設定画面をＲＩＰ用ＰＣ１４のモニタ等の表示部へ表示し、各種設定の設定値として、パラメータファイルに保存された情報を表示する。これにより、ＲＩＰ用ＰＣ１４は、取得した印刷制御用情報及び切断制御用情報を表示する。また、制御情報変更受け付け処理において、ＲＩＰ用ＰＣ１４は、ＲＩＰ処理の設定画面において、設定値の変更の指示をユーザから受け付ける。そして、設定値が変更された場合、対応するパラメータファイルの内容を、変更後の値に合わせて更新する。これにより、ＲＩＰ用ＰＣ１４は、ユーザによる印刷制御用情報及び切断制御用情報の変更を受け付ける。本例によれば、例えば、ＲＩＰ処理を行う前に、必要に応じて、設定等を適宜変更できる。
【００８６】
また、パラメータファイルには、クライアントＰＣ１２においてグラフィックソフトウェアにより設定されたコメント情報に基づき、ＲＩＰ処理において必要となる設定値が設定されている。そのため、例えば、制御情報表示処理及び制御情報変更受け付け処理を実行する旨の指示がプリント用ＲＩＰ入力ファイル及びカット用ＲＩＰ入力ファイルのコメント情報に書き込まれておらず、自動的にＲＩＰ処理を行う設定となっている場合、ＲＩＰ処理の設定画面に対するユーザの操作を必要とすることなく、印刷制御用情報及び切断制御用情報に応じて、例えばレイアウト情報やその他の各種制御情報を自動的に設定できる。また、これにより、適切かつ自動的にＲＩＰ処理を行うことができる。
【００８７】
また、例えば、制御情報表示処理及び制御情報変更受け付け処理を実行する旨の指示がプリント用ＲＩＰ入力ファイル及びカット用ＲＩＰ入力ファイルのコメント情報に書き込まれており、ＲＩＰ処理を自動的には行わず、ユーザの指示を受け付ける場合、コメント情報に基づいてパラメータファイルに設定された設定値をＲＩＰ処理の設定画面における初期値として表示する。これにより、ユーザは、変更したい設定だけを容易に変更できる。そのため、本例によれば、例えば、ＲＩＰ処理の各種設定を効率よく適切に行うことができる。
【００８８】
上記の各種設定に続いて、ＲＩＰ用ＰＣ１４は、ＲＩＰ処理を実行してＲＩＰ出力形式ファイルを生成することにより、印刷切断装置１６へ出力するファイルを生成する（Ｓ２１６）。このステップにおいて、ＲＩＰ用ＰＣ１４は、例えば、プリント用ＲＩＰ出力ファイル生成処理及びカット用ＲＩＰ出力ファイル生成処理を行う。尚、プリント用ＲＩＰ入力ファイルとカット用ＲＩＰ入力ファイルとが互いに関連付けられておらず、入力ファイル検索処理において一方のファイルのみが発見された場合、ＲＩＰ用ＰＣ１４は、例えば、プリント用ＲＩＰ出力ファイル生成処理及びカット用ＲＩＰ出力ファイル生成処理のうち、そのファイルに対応する処理のみを行う。
【００８９】
プリント用ＲＩＰ出力ファイル生成処理は、入力ファイル検索処理においてプリント用ＲＩＰ入力ファイルが発見された場合に行われる処理である。プリント用ＲＩＰ出力ファイル生成処理において、ＲＩＰ用ＰＣ１４は、プリント用ＲＩＰ入力ファイルをＲＩＰ出力形式ファイルへ変換することにより、プリント用ＲＩＰ入力ファイルに対応するＲＩＰ出力形式ファイルであるプリント用ＲＩＰ出力ファイルを生成する。
【００９０】
カット用ＲＩＰ出力ファイル生成処理は、入力ファイル検索処理においてカット用ＲＩＰ入力ファイルを発見された場合に行われる処理である。カット用ＲＩＰ出力ファイル生成処理において、ＲＩＰ用ＰＣ１４は、カット用ＲＩＰ入力ファイルをＲＩＰ出力形式ファイルへ変換することにより、カット用ＲＩＰ入力ファイルに対応するＲＩＰ出力形式ファイルであるカット用ＲＩＰ出力ファイルを生成する。
【００９１】
また、本例において、ＲＩＰ用ＰＣ１４は、Ｓ２１４において保存したパラメータファイルを読み込み、パラメータファイルに保存された情報に従って処理を行うことにより、プリント用ＲＩＰ出力ファイル及びカット用ＲＩＰ出力ファイルを生成する。これにより、ＲＩＰ用ＰＣ１４は、コメント情報から取得された印刷制御用情報及び切断制御用情報のそれぞれを反映させて、プリント用ＲＩＰ出力ファイル及びカット用ＲＩＰ出力ファイルを生成する。また、制御情報変更受け付け処理において印刷制御用情報又は切断制御情報が変更された場合、ＲＩＰ用ＰＣ１４は、変更後の情報を反映させて、プリント用ＲＩＰ出力ファイル及びカット用ＲＩＰ出力ファイルを生成する。
【００９２】
尚、プリント用ＲＩＰ出力ファイル生成処理において、ＲＩＰ用ＰＣ１４は、例えば、印刷される画像に対する公知のＲＩＰ処理と同一又は同様の方法により、プリント用ＲＩＰ出力ファイルを生成する。例えば、ＲＩＰ用ＰＣ１４は、Ｐｏｓｔｓｃｒｉｐｔファイルであるプリント用ＲＩＰ入力ファイルの解析、印刷切断装置１６の解像度に合わせたラスタライズ、印刷切断装置１６の色再現特性に合わせたカラー変換、及びスクリーニング処理等を行うことにより、プリント用ＲＩＰ出力ファイルを生成する。
【００９３】
また、カット用ＲＩＰ出力ファイル生成処理において、ＲＩＰ用ＰＣ１４は、切断線を示す複数種類の特色のそれぞれと対応付けられたカット条件を考慮して、カット用ＲＩＰ出力ファイルを生成する。この処理において、ＲＩＰ用ＰＣ１４は、先ず、例えば、切断線を示す特色で描かれたパスを、カット用ＲＩＰ入力ファイルから、切断線として抽出する。また、それぞれの特色に対応するカット条件を、カット用ＲＩＰ入力ファイルのコメント情報から取得する。そして、カット用ＲＩＰ入力ファイルをカット用ＲＩＰ出力ファイルに変換する処理において、切断線毎にカット条件を設定したカットコマンドを生成し、カット用ＲＩＰ出力ファイル中へ出力する。これ以外の点について、ＲＩＰ用ＰＣ１４は、カット用ＲＩＰ出力ファイル生成処理において、例えば、プリント用ＲＩＰ出力ファイル生成処理や、切断線に対する公知のＲＩＰ処理と同一又は同様の方法により、カット用ＲＩＰ出力ファイルを生成する。
【００９４】
続いて、ＲＩＰ用ＰＣ１４は、ＲＩＰ出力ファイル出力処理を行い、プリント用ＲＩＰ出力ファイル及びカット用ＲＩＰ出力ファイルを印刷切断装置１６へ出力する。これにより、ＲＩＰ用ＰＣ１４は、印刷及び切断（Ｐｒｉｎｔ＆Ｃｕｔ）を印刷切断装置１６に実行させる（Ｓ２１８）。
【００９５】
本例において、ＲＩＰ用ＰＣ１４は、ＩＤ情報に基づいて互いに関連付けられたプリント用ＲＩＰ出力ファイル及びカット用ＲＩＰ出力ファイルのそれぞれを、対応付けに応じたタイミングで、印刷切断装置１６へ出力する。例えば、ＲＩＰ用ＰＣ１４は、プリント用ＲＩＰ出力ファイルを出力した後、例えば印刷後の乾燥時間に相当する一定の時間待って、予め設定されたタイミングで、カット用ＲＩＰ出力ファイルを出力する。本例によれば、例えば、印刷切断装置１６に、適切に印刷及び切断を行わせることができる。
【００９６】
また、例えば自動的にＲＩＰ処理を行う設定となっている場合、ＲＩＰ用ＰＣ１４は、ユーザの指示を待つことなく、自動的に、プリント用ＲＩＰ入力ファイル及びカット用ＲＩＰ入力ファイルを出力する。これにより、ユーザの操作を必要とすることなく、印刷や切断の制御までを含めた一連の動作を適切に自動化できる。そのため、本例によれば、ユーザの手間を適切に低減できる。
【００９７】
尚、プリント用ＲＩＰ入力ファイルとカット用ＲＩＰ入力ファイルとが互いに関連付けられておらず、プリント用ＲＩＰ出力ファイル及びカット用ＲＩＰ出力ファイルの一方のみが生成された場合、印刷切断装置１６は、そのファイルのみを出力する。これにより、必要に応じて、印刷切断装置１６に、印刷又は切断の一方のみを適切に行わせることができる。
【００９８】
また、ＲＩＰ用ＰＣ１４は、例えば設定又は仕様等に応じて、プリント用ＲＩＰ出力ファイルよりも先にカット用ＲＩＰ出力ファイルを出力してもよい。このように構成すれば、例えば、印刷切断装置１６に、印刷より先に切断を行うオペレーション（Ｃｕｔ＆Ｐｒｉｎｔ）を適切に行わせることができる。この場合も、本例によれば、印刷切断装置１６に、適切に切断及び印刷を行わせることができる。
【００９９】
尚、上記実施形態では、カット条件の指定方法の一例として、ツールにカット条件を対応付けた場合を説明したが、これに限らない。例えば、ツールを用いて描画後、対象の輪郭（カット線）毎にカット条件をしていく方法等も考えられる。また、この場合、カット条件に名前を付けて登録しておく方法や、その都度カット条件を設定していく方法等がある。カット条件を予め登録しておく場合には、例えば、ユーザがツールを用いて対象の輪郭を描画した後、その輪郭を選択して名前を指定することによって、カット条件と輪郭とを紐付けることができる。また、カット条件をその都度設定する場合には、例えば、ユーザがツールを用いて対象の輪郭を描画した後、その輪郭を選択してカット条件の設定フィールドを呼び出し、カット条件を指定することができる。また、レイヤーを指定することによって、レイヤー内の全ての輪郭を指定し、その全ての輪郭に対して同一のカット条件を指定するようにしてもよい。
【０１００】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【０１０１】
本発明は、例えば印刷切断システムに好適に利用できる。
【図面の簡単な説明】
【０１０２】
【図１】本発明の一実施形態に係る印刷切断システム１０の構成の一例を示す図である。
【図２】クライアントＰＣ１２の動作の一例を示すフローチャートである。
【図３】ＩＤ情報の一例を示す図である。
【図４】ＲＩＰ用ＰＣ１４の動作の一例を示すフローチャートである。
【符号の説明】
【０１０３】
１０・・・印刷切断システム、１２・・・クライアントＰＣ、１４・・・ＲＩＰ用ＰＣ、１６・・・印刷切断装置、１０２・・・記憶装置
【図１】
2010055451.tif 000003
【図２】
2010055451.tif 000004
【図３】
2010055451.tif 000005
【図４】
2010055451.tif 000006